(57)【要約】【課題】箱本体の内部を容易に確認できることを可能としながらも、当該箱本体内に水などの液体が浸入することを防止できる電気接続箱を提供する。【解決手段】電気接続箱１は箱本体２と配線ブロック３とサイドカバー７とを備えている。箱本体２は配線ブロック３のバスバ及びヒューズを収容する。箱本体２の外壁８にはヒューズを視認することができるのぞき孔１９が設けられている。サイドカバー７は箱本体２に取り付けられるとのぞき孔１９を塞ぐ塞ぎ部４２を備えている。【選択図】図４
2009171791.tif 000002
【特許請求の範囲】
【請求項１】
その外壁を貫通して内部を視認可能とするのぞき孔が設けられた箱本体と、
前記箱本体に取り付けられるカバー部材とを備えた電気接続箱において、
前記カバー部材が、当該カバー部材が前記箱本体に取り付けられると、前記のぞき孔を塞ぐ塞ぎ部を備えていることを特徴とする電気接続箱。
【請求項２】
前記箱本体の前記外壁には、当該箱本体に前記カバー部材が取り付けられると、前記塞ぎ部の位置ずれを防止する位置ずれ防止部が設けられていることを特徴とする請求項１記載の電気接続箱。
【請求項３】
前記箱本体には、端子金具が取り付けられるとともに互いの間に前記のぞき孔を位置付ける複数の端子取付部が設けられているとともに、
前記カバー部材が、前記箱本体に取り付けられると前記外壁と間隔をあける離間壁と、当該離間壁から前記外壁に向かって立設するとともに前記塞ぎ部が設けられた立設壁とを備えていることを特徴とする請求項１又は請求項２記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱（例えば、特許文献１及び２参照）とも呼ばれる。本明細書では、前述したヒューズブロック、リレーボックス、ジャンクションブロックを、総称して以下電気接続箱と呼ぶ。
【０００５】
前述した特許文献１及び２に示された電気接続箱は、外郭を形成する箱本体と、配線ブロックとを備えている。箱本体は、絶縁性の合成樹脂で構成されて、箱状に形成されている。箱本体には、リレーやヒューズなどの電気部品が装着される装着部と、ワイヤハーネスのコネクタが嵌合するコネクタ嵌合部とが設けられている。
【０００６】
配線ブロックは、箱本体内に収容される。配線ブロックは、第１の電源としてのバッテリと接続される第１のバスバと、第２の電源としての発電機と接続される第２のバスバと、前記第１のバスバと前記第２のバスバとを接続するヒューズと、接続用端子と、を備えている。
【０００７】
前記第１のバスバと前記第２のバスバは、それぞれ、導電性の板金で構成されている。前記第１のバスバと前記第２のバスバは、それぞれ、前記バッテリや発電機と接続する電源接続部と、前記配線ブロックが前記箱本体内に収容されると前記装着部内に位置して前記リレーやヒューズなどの電気部品と接続される端子部と、を備えている。
【０００８】
前記ヒューズは、前記第１のバスバと前記第２のバスバの前記電源接続部から離れた箇所同士を接続している。前記接続用端子は、一部が装着部内に位置して前記リレーやヒューズなどの電気部品と接続され、他の一部がコネクタ嵌合部内に位置してワイヤハーネスのコネクタと接続する。
【０００９】
前述した電気接続箱は、配線ブロックが電源と電気部品とワイヤハーネスの各電線とを予め定められたパターンにしたがって互いに電気的に接続して、前記電源と電気部品とワイヤハーネスの各電線に接続した各電子機器とを予め定められたパターンにしたがって互いに電気的に接続する。そして、電気接続箱は、ワイヤハーネスが接続した各電子機器に所望の電力を供給する。
【００１０】
また、本発明の出願人は、前述したヒューズが溶断したか否かを容易に把握できるようにするために、箱本体の内部を視認可能とするのぞき孔を前記箱本体の外壁に設けることを提案している（例えば、特許文献３参照）。
【特許文献１】特開平１０−２４１５４７号公報
【特許文献２】特開２００１−１５５６１８号公報
【特許文献３】特願２００６−３０８９５１号
【発明の開示】
【発明が解決しようとする課題】
【００１１】
前述した特許文献３に示された電気接続箱では、前述したのぞき孔が設けられているため、当該のぞき孔を通して、水などの液体が箱本体に浸入しやすくて、望ましくない。
【００１２】
したがって、本発明の目的は、箱本体の内部を容易に確認できることを可能としながらも、当該箱本体内に水などの液体が浸入することを防止できる電気接続箱を提供することにある。
【課題を解決するための手段】
【００１３】
前記課題を解決し目的を達成するために、請求項１に記載の本発明の電気接続箱は、その外壁を貫通して内部を視認可能とするのぞき孔が設けられた箱本体と、前記箱本体に取り付けられるカバー部材とを備えた電気接続箱において、前記カバー部材が、当該カバー部材が前記箱本体に取り付けられると、前記のぞき孔を塞ぐ塞ぎ部を備えていることを特徴としている。
【００１４】
請求項２に記載の本発明の電気接続箱は、請求項１記載の電気接続箱において、前記箱本体の前記外壁には、当該箱本体に前記カバー部材が取り付けられると、前記塞ぎ部の位置ずれを防止する位置ずれ防止部が設けられていることを特徴としている。
【００１５】
請求項３に記載の本発明の電気接続箱は、請求項１又は請求項２記載の電気接続箱において、前記箱本体には、端子金具が取り付けられるとともに互いの間に前記のぞき孔を位置付ける複数の端子取付部が設けられているとともに、前記カバー部材が、前記箱本体に取り付けられると前記外壁と間隔をあける離間壁と、当該離間壁から前記外壁に向かって立設するとともに前記塞ぎ部が設けられた立設壁とを備えていることを特徴としている。
【００１６】
請求項１に記載した本発明の電気接続箱によれば、カバー部材がのぞき孔を塞ぐ塞ぎ部を備えているので、のぞき孔を通して箱本体の内部を確認できるようにしても、塞ぎ部でのぞき孔を塞ぐことで、当該のぞき孔を通して水などの液体が浸入することを防止できる。
【００１７】
請求項２に記載した本発明の電気接続箱によれば、カバー部材が箱本体に取り付けられると、塞ぎ部の位置ずれを防止できる。
【００１８】
請求項３に記載した本発明の電気接続箱によれば、カバー部材が離間壁から立設しかつ塞ぎ部を設けた立設壁を備えているので、当該立設壁が、複数の端子金具間に位置付けられる。
【発明の効果】
【００１９】
以上説明したように請求項１に記載の本発明は、のぞき孔を通して箱本体の内部を確認できるようにしても、当該のぞき孔を通して水などの液体が浸入することを防止できる。したがって、箱本体の内部を容易に確認できることを可能としながらも、当該箱本体内に水などの液体が浸入することを防止できる。
【００２０】
請求項２に記載の本発明は、カバー部材が箱本体に取り付けられると、塞ぎ部の位置ずれを防止できるので、互いに取り付けられたカバー部材及び箱本体が相対的に移動することを防止でき、これらの剛性を向上することができる。
【００２１】
請求項３に記載の本発明は、カバー部材の立設壁が複数の端子金具間に位置付けられるので、端子金具同士を確実に電気的に絶縁することができる。
【発明を実施するための最良の形態】
【００２２】
以下、本発明の一実施形態にかかる電気接続箱を、図１ないし図７に基づいて説明する。本実施形態にかかる図１に示す電気接続箱１は、移動体としての自動車に搭載される。
【００２３】
電気接続箱１は、図１に示すように、箱本体２と、図示しないアッパカバーと、ロアカバー６と、カバー部材としてのサイドカバー７と、配線ブロック３と、を備えている。
【００２４】
箱本体２は、絶縁性の合成樹脂で構成され、周知の射出成型によって成型される。箱本体２は、図２に示すように、互いに連なる複数の外壁８により箱状に形成されている。また、箱本体２には、該箱本体２内を仕切る隔壁９が設けられている。
【００２５】
さらに、箱本体２の図２中の上方側の表面（以下、上面と呼ぶ）には、電気部品としてのリレー２０やヒューズなどが装着される装着部と、配線ブロック３の後述するバスバ２１，２２を収容するスリット状のバスバ収容溝とが設けられ、図２中の下方側の表面（以下、下面と呼ぶ）には、図示しないワイヤハーネスのコネクタが嵌合するコネクタ嵌合部が設けられている。
【００２６】
ワイヤハーネスは、勿論、複数の電線と、該電線の端末に取り付けられたコネクタなどを備えている。コネクタは、前述したコネクタ嵌合部や自動車に搭載される各種の電子機器に嵌合する。また、箱本体２は、前述した装着部に装着された電気部品と、コネクタ嵌合部に嵌合したワイヤハーネスのコネクタの端子と、を予め定められたパターンにしたがって、電気的に接続するバスバなどを更に収容している。
【００２７】
また、箱本体２の上面には、端子取付部１２が複数（図示例では二つ）設けられている。端子取付部１２は、前述したバスバ収容溝の端に位置しているとともに、その表面が平坦に形成されている。端子取付部１２には、図示しないナットが埋設されている。また、これらの端子取付部１２は、当該箱本体２の外縁部に互いに並設されて設けられている。
【００２８】
端子取付部１２は、その表面にバスバ２１，２２の後述する接続片３０と後述する電源と接続した端子金具１１（図４に示す）の電気接触部１３とが順に重ねられて、当該接続片３０に設けられた貫通孔３３と電気接触部１３の孔１３ａ内を通ったボルト１０が前記ナットにねじ込まれることで、端子金具１１の電気接触部１３を接続片３０とボルト１０の頭との間に挟んで、該端子金具１１を取り付ける。
【００２９】
アッパカバーは、絶縁性の合成樹脂で構成され、周知の射出成型によって成型される。アッパカバーは、互いに連なる複数の外壁を備えて、有底筒状に形成されている。アッパカバーは、箱本体２の上面を覆う状態で、該箱本体２に取り付けられる。
【００３０】
ロアカバー６は、絶縁性の合成樹脂で構成され、周知の射出成型によって成型される。ロアカバー６は、図１及び図３に示すように、互いに連なる複数の外壁１４を備えて、有底筒状に形成されている。ロアカバー６は、箱本体２の下面を覆う状態で、該箱本体２に取り付けられる。
【００３１】
サイドカバー７は、絶縁性の合成樹脂で構成され、周知の射出成形により成形される。サイドカバー７は、箱本体２に取り付けられて、この箱本体２に取り付けられたカセットブロック５の端子取付部１２を覆う。サイドカバー７は、図１及び図２に示すように、箱本体２に取り付けられると当該箱本体２の外壁８と間隔をあける離間壁１５と、当該離間壁１５の端に連なりかつ箱本体２に取り付けられると当該箱本体２の上面と間隔をあける上壁部１６と、前記離間壁１５と上壁部１６との双方の両縁から立設して前記外壁８と接触する側壁部４０とを一体に備えている。サイドカバー７は、箱本体２に取り付けられて、端子取付部１２とこの端子取付部１２に取り付けられた端子金具１１とを覆う。
【００３２】
さらに、サイドカバー７は、図５及び図７に示すように、立設壁４１と、塞ぎ部４２とを一体に備えている。立設壁４１は、離間壁１５から箱本体２の外壁８に向かって立設しているとともに、サイドカバー７が箱本体２に取り付けられると、前述した二つの端子取付部１２間に位置付けられる。立設壁４１は、サイドカバー７が箱本体２に取り付けられる際に、当該サイドカバー７が箱本体２に近づけられる方向に沿って直線状に延在している。
【００３３】
塞ぎ部４２は、立設壁４１の離間壁１５から最も離れた先端に設けられている。塞ぎ部４２は、前述したサイドカバー７が箱本体２に取り付けられる際に、当該サイドカバー７が箱本体２に近づけられる方向に沿って直線状に延在しており、離間壁１５の全長に亘って設けられている。塞ぎ部４２の上壁部１６から離れた側の先端部には、上壁部１６から離れるのにしたがって当該塞ぎ部４２を徐々に細くするテーパ部４３が設けられている。さらに、塞ぎ部４２の外壁８と相対する面４２ａは、当該外壁８に沿って平坦に形成されている。
【００３４】
また、前述した箱本体２は、その内側にヒューズ収容室が設けられている。ヒューズ収容室は、箱本体２内に設けられた空間であり、箱本体２に取り付けられた配線ブロック３の後述するヒューズ２３を収容する空間である。ヒューズ収容室は、箱本体２内の隔壁９と図１乃至図３中手前側の一つの外壁８によって囲まれて形成されている。
【００３５】
このヒューズ収容室を構成する箱本体２の外壁８には、図２、図３及び図６などに示すように、のぞき孔１９と、位置ずれ防止部としての係止受け部４４とが設けられている。
【００３６】
のぞき孔１９は、図３及び図６に示すように、外壁８の二つ（複数）の端子取付部１２即ち当該端子取付部１２に取り付けられる二つ（複数）の端子金具１１間に位置する位置に配置されている。のぞき孔１９は、前述したボルト１０の長手方向に沿って直線状に延在した長孔であり、ヒューズ収容室内に収容されたヒューズ２３即ち箱本体２の内部を箱本体２の外側から視認可能としている。また、のぞき孔１９は、図中の上方から前記ヒューズ２３即ち箱本体２の内部を箱本体２の外側から視認可能としている。また、のぞき孔１９は、箱本体２に取り付けられたサイドカバー７の離間壁１５及び側壁部４０とによって覆われる。
【００３７】
係止受け部４４は、外壁８から凸に形成され、端子取付部１２との間にのぞき孔１９を位置付ける位置に配置されている。係止受け部４４は、両端が外壁８に連なって、当該外壁８から凸のアーチ状に形成されている。係止受け部４４は、サイドカバー７が箱本体２に取り付けられると、図４に示すように、その内側に塞ぎ部４２の前述した先端部が侵入する位置に配置されている。係止受け部４４は、その内側に塞ぎ部４２の前述した先端部を侵入させて、当該塞ぎ部４２の位置ずれを防止する。
【００３８】
また、係止受け部４４は、その内側に塞ぎ部４２を位置づけると、この塞ぎ部４２の前述した面４２ａを外壁８に密に重ねて、当該塞ぎ部４２にのぞき孔１９を塞がせる。このように、塞ぎ部４２が、サイドカバー７が箱本体２に取り付けられると、前述したのぞき孔１９を塞ぐとともに、立設壁４１が二つの端子金具１１間に位置して、これら二つの端子金具１１同士を電気的に絶縁する。
【００３９】
配線ブロック３は、図２に示すように、第１のバスバ２１と、第２のバスバ２２と、これらのバスバ２１，２２同士を接続したヒューズ２３と、を備えている。
【００４０】
第１のバスバ２１と第２のバスバ２２は、それぞれ、導電性の板金で構成されている。これらのバスバ２１，２２は、互いに構成が略等しいので、以下、同一部分には同一符号を付して説明する。
【００４１】
バスバ２１，２２は、図２に示すように、それぞれ、電気部品接続部２４と、電源接続部２５とを備えている。電気部品接続部２４は、互いに平行な一対の平行部２６と、該平行部２６の端同士を連結した連結部２７とを備えて、平面形状がコ字状に形成されている。平行部２６には、箱本体２の装着部内に位置して、前述したリレー２０やヒューズなどと接続する端子部２８が複数設けられている。
【００４２】
電源接続部２５は、ヒューズ接続部としてのヒューズ接続片２９と、接続部としての接続片３０とを一体に備えている。ヒューズ接続片２９は、帯板状に形成されており、電気部品接続部２４の連結部２７に重ねられて取り付けられている。ヒューズ接続片２９には、ヒューズ固定用のボルト３１が螺合するナットが一体に形成されている。
【００４３】
接続片３０は、ヒューズ接続片２９の図２中の上方に位置する縁から立設している。このため、ヒューズ接続片２９は、接続片３０とボルト１０の長手方向に沿って重なる位置に配置されている。即ち、ヒューズ接続片２９は、接続部としての接続片３０の近傍に配置されている。接続片３０には、ボルト１０を通す貫通孔３３が設けられている。
【００４４】
第１のバスバ２１の電源接続部２５の接続片３０には、第１の電源としての発電機と電線３４を介して接続した端子金具１１が取り付けられる。第２のバスバ２２の電源接続部２５の接続片３０には、第２の電源としてのバッテリと電線３４を介して接続した端子金具１１が取り付けられる。
【００４５】
ヒューズ２３は、可溶体を含んだ本体部３５と、この本体部３５から互いに離れる方向に延在した一対の端子部３６とを備えている。端子部３６には、各々、ヒューズ接続用のボルト３１を通す孔が設けられている。一対の端子部３６は、勿論、可溶体と連結している。
【００４６】
ヒューズ２３は、一方の端子部３６が第１のバスバ２１の電源接続部２５のヒューズ接続片２９に重ねられ、他方の端子部３６が第２のバスバ２２の電源接続部２５のヒューズ接続片２９に重ねられて、孔を通ったボルト３１が前述したナットに螺合することで、バスバ２１，２２同士を接続して、これらのバスバ２１，２２に取り付けられる。ヒューズ２３は、バスバ２１，２２間を流れる電流が、予め定められた電流値を超えると、可溶体が溶断して、バスバ２１，２２間の電流の流れを遮断する。
【００４７】
前述した配線ブロック３は、バスバ収容溝内にバスバ２１，２２の主に電気部品接続部２４が収容され、電源接続部２５のヒューズ接続片２９及びヒューズ２３がヒューズ収容室内に収容され、電源接続部２５の接続片３０が端子取付部１２上に重ねられて、箱本体２に取り付けられる。そして、配線ブロック３は、図３及び図６に示すように、端子取付部１２に端子金具１１が取り付けられることで、端子金具１１及び電線３４を介して、発電機及びバッテリと接続される。
【００４８】
また、配線ブロック３は、箱本体２の装着部に電気部品が装着され、コネクタ嵌合部にワイヤハーネスのコネクタが嵌合すると、前述した電源と電気部品とワイヤハーネスが接続した各種の電子機器とをあらかじめ定められたパターンにしたがって電気的に接続する。そして、配線ブロック３は、電源からの電力を、電気部品を介して各種の電子機器に供給する。
【００４９】
前述した電気接続箱１は、自動車に搭載されて、当該自動車が通常の状態で走行する際などには、サイドカバー７が箱本体２に取り付けられて、塞ぎ部４２がのぞき孔１９を塞ぐとともに、係止受け部４４によって塞ぎ部４２の位置ずれが防止される。また、電気接続箱１は、前述した自動車の点検などの際に、サイドカバー７が箱本体２から取り外されて、のぞき孔１９を通して箱本体２内のヒューズ２３が溶断しているか否かが確認される。
【００５０】
本実施形態によれば、サイドカバー７がのぞき孔１９を塞ぐ塞ぎ部４２を備えているので、のぞき孔１９を通して箱本体２の内部を確認できるようにしても、塞ぎ部４２でのぞき孔１９を塞ぐことで、当該のぞき孔１９を通して水などの液体が浸入することを防止できる。したがって、箱本体２の内部を容易に確認できることを可能としながらも、当該箱本体２内に水などの液体が浸入することを防止できる。
【００５１】
また、サイドカバー７が箱本体に取り付けられると、塞ぎ部４２の位置ずれを防止できるので、互いに取り付けられたサイドカバー７及び箱本体２が相対的に移動することを防止でき、これら即ち電気接続箱１全体の剛性を向上することができる。
【００５２】
さらに、サイドカバー７が、離間壁１５から立設しかつ塞ぎ部４２を設けた立設壁４１を備えているので、当該立設壁４１が、二つの端子金具１１間に位置付けられる。したがって、端子金具１１同士を確実に電気的に絶縁することができる。
【００５３】
前述した実施形態では、箱本体２内のヒューズ２３が溶断しているか否かを確認するために、箱本体２の内部を視認可能とするのぞき孔１９を設けている。しかしながら、本発明では、ヒューズ２３に限らず、種々の用途で箱本体２の内部を視認可能とするためにのぞき孔１９を用いても良いことは、勿論である。
【００５４】
また、前述した実施形態では、端子金具１１及び端子取付部１２を二つずつ設けているが、本発明では、端子金具１１及び端子取付部１２を三つずつ以上設けても良い。さらに、前述した実施形態では、サイドカバー７が端子取付部１２及び端子金具１１を覆う用途で用いられているが、本発明では、これに限らず、サイドカバー７は、種々の用途で用いられても勿論良い。また、前述した実施形態では、サイドカバー７に立設壁４１を設け、外壁８に係止受け部４４を設けているが、本発明では、立設壁４１と係止受け部４４とを必ずしも設けなくても良い。
【００５５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５６】
【図１】本発明の一実施形態に係る電気接続箱の斜視図である。
【図２】図１に示された電気接続箱の分解斜視図である。
【図３】図１に示された電気接続箱の箱本体からサイドカバーを取り外した状態を示す斜視図である。
【図４】図１に示された状態の電気接続箱のサイドカバーの内側を下方からみた斜視図である。
【図５】図２に示された状態の電気接続箱のサイドカバーの内側を下方からみた斜視図である。
【図６】図３に示された電気接続箱の端子取付部などを拡大して示す斜視図である。
【図７】図１に示された電気接続箱のサイドカバーを内側からみた斜視図である。
【符号の説明】
【００５７】
１  電気接続箱
２  箱本体
７  サイドカバー（カバー部材）
８  外壁
１５  離間壁
１９  のぞき孔
４１  立設壁
４２  塞ぎ部
４４  係止受け部（位置ずれ防止部）
【図１】
2009171791.tif 000003
【図２】
2009171791.tif 000004
【図３】
2009171791.tif 000005
【図４】
2009171791.tif 000006
【図５】
2009171791.tif 000007
【図６】
2009171791.tif 000008
【図７】
2009171791.tif 000009